(57)【要約】【課題】ネットワークに接続されたデジタル映像出力装置において、ネットワークの負荷を軽減し安定した映像コンテンツの表示が可能なデジタル映像出力装置を提供することを目的とする。【解決手段】ネットワークに接続されたデジタル映像出力装置であって、それぞれのデジタル映像出力装置に記録媒体２０を持ち、映像コンテンツを複製して保持する構成として、出力させる際に複数の場所に保存された中からネットワーク帯域に余裕がある方を選択して受信することで安定した表示を行うことが出来る。【選択図】図１
2007295445.tif 000002
【特許請求の範囲】
【請求項１】
ネットワークに接続された記録装置に保存された映像コンテンツを受け渡しする手段を有するネットワークに接続されるデジタル映像出力装置において、
ネットワークに接続された記憶装置に保存されているデジタル映像コンテンツを検索する手段と、
検索結果から前記デジタル映像コンテンツが複数の前記記憶装置に存在する場合にネットワーク帯域に余裕のある方の記憶装置を選択して映像コンテンツを表示装置に出力させる手段を具備したことを特徴とするデジタル映像出力装置。
【請求項２】
ネットワークに接続された記録装置に保存された映像コンテンツを受け渡しする手段を有し、内蔵又は外付記録媒体を有するネットワークに接続されるデジタル映像出力装置において、
ネットワークに接続された記録装置及び前記内蔵又は外付記録媒体に保存されているデジタル映像コンテンツを検索する手段と、
検索結果から前記デジタル映像コンテンツが前記内蔵又は外付記憶媒体に存在する場合には該内蔵又は外付記憶媒体から映像コンテンツ出力し、複数の前記記憶装置に存在する場合にはネットワーク帯域に余裕のある方の記録装置を選択して映像コンテンツを表示装置に出力させる手段を具備したことを特徴とするデジタル映像出力装置。
【請求項３】
請求項２記載のデジタル映像出力装置において、ネットワークに接続された他のデジタル映像出力装置からの要求に従い前記内蔵又は外付記録媒体に保存されたデジタル映像コンテンツ又はそれに関する情報を送出する手段を有することを特徴とするデジタル映像出力装置。
【請求項４】
請求項２又は請求項３に記載のデジタル映像出力装置において、前記出力した映像コンテンツを複製し前記内蔵又は外付記録媒体に保存する手段を有することを特徴とするデジタル映像出力装置。
【請求項５】
請求項２乃至請求項４のいずれかに記載のデジタル映像出力装置において、デジタル映像コンテンツを暗号化して内蔵又は外付記録媒体に保存する手段を有することを特徴とするデジタル映像出力装置。
【請求項６】
請求項２乃至請求項５のいずれかに記載のデジタル映像出力装置において、ユーザーからの指示に従い予めネットワークの空きを利用してネットワークに接続された記録装置からデジタル映像コンテンツを前記内蔵又は外付記録媒体に複製することを特徴とするデジタル映像出力装置。
【請求項７】
請求項１乃至請求項６のいずれかに記載のデジタル映像出力装置において、少なくとも１以上の前記ネットワークに接続された記録装置は内蔵又は外付記憶媒体を有する他のデジタル映像出力装置であることを特徴とするデジタル映像出力装置。
【請求項８】
請求項１乃至請求項７のいずれかに記載のデジタル映像出力装置において、デジタル映像出力装置はデジタル映像出力装置が映像を出力する表示装置に内蔵されていることを特徴とするデジタル映像出力装置。
【請求項９】
請求項１乃至請求項８のいずれかに記載のデジタル映像出力装置において、デジタル映像コンテンツを表示する権利を認識して管理する手段と、デジタル映像コンテンツを表示する権利をネットワーク越しに参照し他のデジタル映像出力装置で出力していないことを判断する手段と、デジタルコンテンツを表示する権利を取得してから出力を行う手段を有することを特徴とするデジタル映像出力装置。
【請求項１０】
請求項９記載のデジタル映像出力装置において、ネットワークを介してデジタル映像コンテンツを表示する権利を移動する手段を具備し、デジタル映像コンテンツを表示する権利の移動はデジタル映像コンテンツの複製と同時又は別個に行うことを特徴とするデジタル映像出力装置。
【請求項１１】
請求項１乃至請求項１０のいずれかに記載のデジタル映像出力装置を有するネットワークシステムにおいて、あらかじめ定めたネットワーク内でデジタル映像コンテンツを複製する数を管理し、一定の数を超える場合に複製された映像コンテンツは一定条件に従い削除することを特徴とするネットワークシステム。
【発明の詳細な説明】
【技術分野】
【０００１】
本発明は、デジタル映像出力装置及びデジタル映像出力装置を有するネットワークシステムに関し、特に家庭内などでネットワークに接続されたデジタル映像出力装置及びデジタル映像出力装置間の映像コンテンツの共有についてのネットワークシステムに関する。
【背景技術】
【０００２】
ホームサーバーを利用するデジタル映像出力装置に関し、以下のような従来例がある。特許文献１によれば、家庭から外部ネットワークに接続し映像コンテンツを蓄積し、家庭内にストリーム配信する装置とその受信機に関する技術が記載されている。一方、デジタル放送が普及してきておりネットワークを介して放送コンテンツを配信する流れも見えてきている。
【０００３】
図５を用いてデジタル放送を受信する装置の従来例を説明する。デジタル放送には一般的にＭＰＥＧのトランスポートストリーム（以下、ＭＰＥＧ−ＴＳと略して記載する）が採用されている。デジタル放送ではコンディショナルアクセス（限定受信）を可能とするためにＭＰＥＧ−ＴＳには暗号化が施され、変調された信号が送られてくる。
【０００４】
受信機側ではアンテナ１で受信した信号からチューナー４にて復調を行い必要なチャンネルの信号が取り出される。取り出された信号はコンディショナルアクセスを実現するための認証手段、例えば、日本のデジタル放送ではＢ−ＣＡＳカードを使った認証が行われ、暗号化解除のためのキー情報が取り出される。このキー情報を元にデスクランブラ５にて暗号化解除が行われ、ＭＰＥＧ−ＴＳが生成される。
【０００５】
このＭＰＥＧ−ＴＳでは複数の番組のストリームが多重化された状態になっており、ユーザーの必要とするストリームを取り出すためにはＴＳ−ＤＥＭＵＸ１１にて分割が行われ、必要な部分だけ抜き出したストリーム（パーシャルＴＳ）が取り出される。表示のためにこのパーシャルＴＳから番組の情報を示すセクション情報とＶＩＤＥＯストリーム、ＡＵＤＩＯストリーム、データ放送等の電子データに分割される。
【０００６】
その後、ＶＩＤＥＯストリームはＶＩＤＥＯデコーダ７で映像デコード処理され、データ放送等の情報と合わせて視聴のために表示装置８に出力される。ＡＵＤＩＯストリームはＡＵＤＩＯデコーダ１２で音声デコード処理されスピーカー１３に出力される。
【０００７】
デジタル放送の著作権管理としてコンテンツ毎にコピー制御情報（ＣＣＩ：Ｃｏｐｙ  Ｃｏｎｔｒｏｌ  Ｉｎｆｏｍａｔｉｏｎ）として複製条件を、”コピー禁止”、”１回コピー可”、”コピー可”のどれかを指定し、これによって複製の制限をすることが挙げられる。
【０００８】
記録媒体に記録が可能なコンテンツのコピー制御情報は”１回コピー可”、”コピー可”の状態のものであり、”コピー禁止”の状態のものは記録できない。また、”１回コピー可”の状態のコンテンツはストレージメディアに記録した段階で”コピー禁止”となり、いわゆる孫コピーは出来ない。”コピー可”の状態のものはもちろん、複数回のコピーが可能である。”１回コピー可”の状態から記録したことで”コピー禁止”となったコンテンツは次のコピーが禁止されるが他のストレージメディアに移動する（以後、”ムーブ”）は一般的に許可されている。
【０００９】
近年のデジタル放送のコンテンツはコピー制御情報として”１回コピー可”のもの（以後、コピーワンスと表現する）が主流となり、コピーの管理が重要になってきている。この機器間の接続手段としてＩＥＥＥ１３９４  Ｉ／Ｆ９を使いコンテンツをやり取りする場合に必要になるコピー保護技術としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）仕様が早くから策定されていた。このＤＴＣＰは機器間で認証を行い、取り決めに従い暗号回路１０にて暗号化を行ってストリームの転送を行う、また、ＣＣＩを判別しコピー管理をおこなうものである。
【００１０】
先のコピーワンスのコンテンツをＩＥＥＥ１３９４経由でムーブする際は機器間でＤＴＣＰの規格にてムーブの際に元のコンテンツは確実に消去されコピー管理が保障される。また、機器間の接続手段としてＬＡＮ  Ｉ／Ｆ１４を使い、ホームサーバー等の蓄積装置より映像データを受信し、それをデコード処理し、出力装置に出力する機能を有するものもある。
【特許文献１】特開２００５−１８２０９７号公報
【発明の開示】
【発明が解決しようとする課題】
【００１１】
しかしながら、上述の装置のように、１台に映像コンテンツが集中して保存される構成では端末の台数が増えるに従って安定した状態で映像コンテンツを出力し表示することが困難であるという問題を有している。図６及び図７を用いて説明する。
【００１２】
図６中の３１はホームサーバー等でデジタル放送の受信、ネットワークストリーム等を受信しそれらのコンテンツを蓄積する機能を主として家庭内のネットワーク接続された端末へデジタル映像データを配信する機能を有する。３２，３３，３４，３５は出力表示端末装置を示し、ネットワークに接続し配信されたデジタル映像データを受信し出力し表示する端末を示す。２６はネットワークルーターを示し、家庭外のネットワークと家庭内のネットワークを接続するためのルーティングを行うことを主な機能とする。ルーター２６は図７に示すように家庭内の複数のネットワーク機器を接続するためのＨＵＢ２８を兼ねていることが多い。２７は家庭内の機器を接続するネットワークを示し、図６においては１つの線上に示しているが実際は図７に示すようにＨＵＢ２８を介して２７１〜２７５のように１対１で接続されている。
【００１３】
ホームサーバー３１は出力表示端末装置３２，３３，３４，３５から配信要求に対してそれぞれデジタル映像データを配信するがそれらのデータは２７１を必ず通る必要があり、ネットワークのトラフィックが増大する。現在、家庭内で主流のネットワークとしてイーサーネットの１００ＢＡＳＥ規格のものが使われているがこれは１００Ｍｂｐｓの伝送帯域を有している。デジタル映像データは高画質なものでは３０Ｍｂｐｓ程度に達するため単純に計算しても３つのデジタル映像データで帯域を使い果たしてしまう。実際には規格の１００％の性能が出ることは無く伝送帯域は下回る。また出力表示端末装置の数が増えるとトラフィックはいっそう増大して安定した配信が困難となる。
【００１４】
本発明は、ネットワークに接続されたデジタル映像出力装置において、ネットワークの負荷を軽減し安定した映像コンテンツの表示が可能なデジタル映像出力装置を提供することを目的とする。
【課題を解決するための手段】
【００１５】
上記目的を達成するために、本発明によるデジタル映像出力装置は、ネットワークに接続された記録装置に保存された映像コンテンツを受け渡しする手段を有するネットワークに接続されるデジタル映像出力装置において、ネットワークに接続された記憶装置に保存されているデジタル映像コンテンツを検索する手段と、検索結果から前記デジタル映像コンテンツが複数の前記記憶装置に存在する場合にネットワーク帯域に余裕のある方の記憶装置を選択して映像コンテンツを出力させる手段を具備したことを特徴とするとする。また、ネットワークに接続された記録装置に保存された映像コンテンツを受け渡しする手段を有し、内蔵又は外付記録媒体を有するネットワークに接続されるデジタル映像出力装置において、ネットワークに接続された記録装置及び前記内蔵又は外付記録媒体に保存されているデジタル映像コンテンツを検索する手段と、検索結果から前記デジタル映像コンテンツが前記内蔵又は外付記憶媒体に存在する場合には該内蔵又は外付記憶媒体から映像コンテンツ出力し、複数の前記記憶装置に存在する場合にはネットワーク帯域に余裕のある方の記録装置を選択して映像コンテンツを出力させる手段を具備したことを特徴とする。
【００１６】
本発明によるデジタル映像出力装置は、さらにネットワークに接続された他のデジタル映像出力装置からの要求に従い前記内蔵又は外付記録媒体に保存されたデジタル映像コンテンツ又はそれに関する情報を送出する手段を有することを特徴とする。さらに上記出力した映像コンテンツを複製し前記内蔵又は外付記録媒体に保存する手段を有することを特徴とする。さらに、デジタル映像コンテンツを暗号化して内蔵又は外付記録媒体に保存する手段を有することを特徴とする。さらにユーザーからの指示に従い予めネットワークの空きを利用してネットワークに接続された記録装置からデジタル映像コンテンツを前記内蔵又は外付記録媒体に複製することを特徴とする。さらに少なくとも１以上の前記ネットワークに接続された記録装置は内蔵又は外付記憶媒体を有する他のデジタル映像出力装置あることを特徴とする。さらにデジタル映像出力装置はデジタル映像出力装置が映像を出力する表示装置に内蔵されていることを特徴とする。さらにデジタル映像コンテンツを再生する権利を認識して管理する手段と、デジタル映像コンテンツを再生する権利をネットワーク越しに参照し他のデジタル出力装置で出力していないことを判断する手段と、デジタルコンテンツを再生する権利を取得してから出力を行う手段を有することを特徴とする。さらにネットワークを介してデジタル映像コンテンツを再生する権利を移動する手段を具備し、デジタル映像コンテンツを再生する権利の移動はデジタル映像コンテンツの複製と同時又は別個に行うことを特徴とする
【００１７】
また、本発明によるデジタル映像出力装置を有するネットワークシステムは、あらかじめ定めたネットワーク内でデジタル映像コンテンツを複製する数を管理し、一定の数を超える場合に複製された映像コンテンツは一定条件に従い削除することを特徴とする。
【発明の効果】
【００１８】
本発明によれば、ネットワーク帯域に余裕のある方の記憶装置を選択して映像コンテツを出力させるため、ネットワークの負荷を軽減し安定した映像コンテンツの表示が可能となる。さらに、請求項８又は９の発明によれば、上記効果と合わせて、デジタルコンテンツを表示する権利を管理でき、著作権等による制限に対応することができる。
【発明を実施するための最良の形態】
【００１９】
本発明によるデジタル映像出力装置の実施形態の一例を図１乃至図３に基づいて以下に説明する。
【００２０】
図１は、本発明によるデジタル映像出力装置の実施形態例における構成の一例であり、従来例に対して内蔵ＨＤＤ（Ｈａｒｄ  Ｄｉｓｋ  Ｄｒｉｖｅ）に記録を行うためのＬＯＣＡＬ暗号部１６、ＨＤＤ  Ｉ／Ｆ部１９、内蔵ＨＤＤ部２０、表示可能かを判断しデコード処理のＯＮ／ＯＦＦとネットワークへの送出を管理する表示権利管理部１７と内蔵ＨＤＤとネットワークの間のコンテンツ共有を判断し、適切にコンテンツを複製するための複製制御部１８を追加することで構成されている。
【００２１】
複製制御部１８では複製する条件に従い、映像の表示のために他のデジタル映像出力装置から受信した映像コンテンツを表示するための信号経路としてバッファ制御６、ＴＳ−ＤＥＭＵＸへ渡すのと平行して、暗号部１６、ＨＤＤ  Ｉ／Ｆ部１９を介して内蔵ＨＤＤ２０に順次保存していく。また外部からの送信要求があった場合に内蔵ＨＤＤ２０からの読み出した映像コンテンツのデータをＬＡＮ  Ｉ／Ｆ１４を経由してネットワークへ送出する橋渡しの役割を果たす。
【００２２】
表示権利管理部１７ではデジタル放送などのデジタル映像コンテンツのコピー管理が必要な場合にコピーワンスの映像コンテンツの表示を行うための権利の情報を設け、映像コンテンツのデータとは別に管理するものである。コピーワンスの概念から表示出来る権利は元の映像コンテンツに対して１つの表示が出来る権利があると考える。表示の権利を管理するためにコンテンツを識別する情報と対応する表示権利識別情報をメモリ、ＨＤＤなどに保持することが考えられる。
【００２３】
本発明では映像コンテンツの複製を持つことにしているがこの表示する権利を管理することで著作権を守っている。表示権利管理部１７では表示権利識別情報に対して１つの出力状態が発生した場合にそれ以降の同じ映像コンテンツの出力を許可しない。従って、内蔵するＨＤＤに出力したい映像コンテンツがあっても表示する権利を示す識別情報は他の機器で使用中であれば、その出力装置では映像コンテンツを出力することが出来ない。
【００２４】
図４を用いて映像コンテンツの流れを説明する。
【００２５】
ＳＴＥＰ１において出力表示端末装置２１にコンテンツ１〜４が保持されている。出力表示端末装置２３にはコンテンツ５〜７が保持されている。どの端末も表示はしていない。黒い丸は表示権利識別を行う情報を示している。出力表示端末装置は、デジタル映像出力装置およびデジタル映像出力装置が出力する表示装置等を含めたものをいう。また、デジタル映像出力装置が表示装置に内蔵されていてもよい。
【００２６】
ＳＴＥＰ２において出力表示端末装置２２ではコンテンツ１を表示するために出力表示端末装置２１からコンテンツ１の表示する権利を取得し、映像コンテンツ要求を行い表示しつつ内容を複製してＨＤＤに保持する。出力表示端末装置２３ではコンテンツ２を表示するために出力表示端末装置２１からコンテンツ２の表示する権利を取得し、映像コンテンツ要求を行い表示しつつ内容を複製してＨＤＤに保持する。出力表示端末装置２４ではコンテンツ５を表示するために出力表示端末装置２３からコンテンツ５の表示権利を取得し、映像コンテンツ要求を行い表示しつつ内容を複製してＨＤＤに保持する。
【００２７】
ＳＴＥＰ３において出力表示端末装置２２ではコンテンツ１を表示しているが自らのＨＤＤにコンテンツが存在するので表示権利移動も複製も発生しない。出力表示端末装置２４ではコンテンツ４を表示するために出力表示端末装置２１からコンテンツ４の表示権利を取得し、映像コンテンツ要求を行い表示しつつ内容を複製してＨＤＤに保持する。出力表示端末装置２５ではコンテンツ６を表示するために出力表示端末装置２３からコンテンツ６の表示権利を取得し、映像コンテンツ要求を行い表示しつつ内容を複製してＨＤＤに保持する。
【００２８】
ＳＴＥＰ４において出力表示端末装置２１ではコンテンツ２を表示しているが自らのＨＤＤにコンテンツが存在するので複製は発生しないが表示権利移動が行われる。出力表示端末装置２２ではコンテンツ４を表示するために出力表示端末装置２４からコンテンツ４の表示権利を取得し、映像コンテンツ要求は出力表示端末装置２１と出力表示端末装置２４のネットワークの空いているほうに行う。また、コンテンツは２つまで持つ条件だった場合、コンテンツ４が３つになってしまうので例えば複製された日時が古い出力表示端末装置２１からコンテンツ４を削除する。他に、コンテンツを削除する例として、表示されたものを優先して削除する場合や表示された日時が古いものを削除する場合、一方の装置にあるコンテンツを優先して削除する場合などが上げられる。出力表示端末装置２３ではコンテンツ７を表示させたいが内蔵ＨＤＤにコンテンツが存在するにも関わらず表示権利を出力表示端末装置２４に先に取得されたので表示できない。出力表示端末装置２４ではコンテンツ７を表示するために出力表示端末装置２３からコンテンツ７の表示権利を取得し、映像コンテンツ要求を行い表示しつつ内容を複製してＨＤＤに保持する。出力表示端末装置２５ではコンテンツ１を表示するために出力表示端末装置２２からコンテンツ１の表示権利を取得し、映像コンテンツ要求は出力表示端末装置２１と出力表示端末装置２２のネットワークの空いているほうに行う。コンテンツ１が３つになってしまうので出力表示端末装置２１から古いコンテンツ１を削除する。
【００２９】
ＳＴＥＰ５において出力表示端末装置２１では出力表示端末装置２４からコンテンツ５の表示権利を取得し、映像コンテンツを出力表示端末装置２３又は出力表示端末装置２４から取得し出力しつつ内容を複製してＨＤＤに保持する。コンテンツ５が３つになるので出力表示端末装置２３から削除される。
出力表示端末装置２２ではコンテンツ４を表示しているが自らのＨＤＤにコンテンツが存在するので表示権利移動も複製も発生しない。出力表示端末装置２３ではコンテンツ３を表示するために出力表示端末装置２１からコンテンツ３の表示権利を取得し、映像コンテンツ要求を行い表示しつつ内容を複製してＨＤＤに保持する。出力表示端末装置２４では出力表示端末装置２１からコンテンツ２の表示権利を取得し、映像コンテンツを出力表示端末装置２１又は出力表示端末装置２３から取得し表示しつつ内容を複製してＨＤＤに保持する。コンテンツ２が３つになるので出力表示端末装置２３から削除される。出力表示端末装置２５ではコンテンツ１を表示しているが自らのＨＤＤにコンテンツが存在するので表示権利移動も複製も発生しない。
【００３０】
上記実施例は、記憶媒体がデジタル映像出力装置に内蔵されているＨＤＤ場合について説明したが、ＨＤＤ以外の記録媒体でも可能であり、さらに外付の記録媒体に対しても可能である。加えて出力装置と記憶媒体が別々にネットワークに接続されている場合も成立可能であり、その場合、上記説明の出力表示端末装置をＨＤＤを内蔵していないものとし、ＨＤＤ部は記録装置単体として説明可能である。
【図面の簡単な説明】
【００３１】
【図１】本発明によるデジタル映像出力装置の一実施形態例を示す機能ブロック図である。
【図２】本発明によるデジタル映像出力装置の一実施形態例のネットワーク接続関係を説明するブロック図である。
【図３】本発明によるデジタル映像出力装置の一実施形態例を説明するブロック図である。
【図４】本発明によるデジタル映像出力装置の一実施形態例のコンテンツの流れを説明するブロック図である。
【図５】従来のデジタル映像出力装置の例を示す機能ブロック図である。
【図６】従来のデジタル映像出力装置の例のネットワーク接続関係を説明するブロック図である。
【図７】従来のデジタル映像出力装置の例を説明するブロック図である。
【符号の説明】
【００３２】
１  アンテナ
２  制御部
３  メモリ
４  チューナー
５  デスクランブラ
６  バッファ制御部
７  ＶＩＤＥＯデコーダ部
８  表示装置
９  ＩＥＥＥ１３９４  Ｉ／Ｆ部
１０  暗号部（ＤＴＣＰ）
１１  ＴＳ−ＤＥＭＵＸ
１２  ＡＵＤＩＯデコーダ部
１３  スピーカー
１４  ＬＡＮ  Ｉ／Ｆ部
１５  暗号部（ＮＥＴ）
１６  暗号部（ＬＯＣＡＬ）
１７  表示権利管理部
１８  複製制御部
１９  ＨＤＤ  Ｉ／Ｆ部
２０  内蔵ＨＤＤ
２１，２２，２３，２４，２５  出力表示端末装置
２６  ルーター
２７  ネットワーク
２８  ＨＵＢ
３１  ホームサーバー
３２，３３，３４，３５  出力表示端末装置
【図１】
2007295445.tif 000003
【図２】
2007295445.tif 000004
【図３】
2007295445.tif 000005
【図４】
2007295445.tif 000006
【図５】
2007295445.tif 000007
【図６】
2007295445.tif 000008
【図７】
2007295445.tif 000009